(57)【要約】【課題】ユーザの安全を確保するためにより有効な携帯電子機器を提供する。【解決手段】携帯電子機器１は、信号を送信する通信部６と、音を出力する音出力部７と、ユーザの操作を検出する操作検出部４と、操作検出部４が所定の操作を検出すると、第１の動作または第２の動作を行うように制御するコントローラ１３と、を備え、コントローラ１３は、第１の動作において、音出力部７に所定のアラート音を出力させるとともに、通信部６に所定のアラート信号を送信させ、第２の動作において、音出力部７に所定のアラート音を出力させずに、通信部６に所定のアラート信号を送信させる。【選択図】図２
2018129681.tif 000002
【特許請求の範囲】
【請求項１】
信号を送信する通信部と、
音を出力する音出力部と、
前記操作検出部が所定の操作を検出すると、第１の動作または第２の動作を行うように制御するコントローラと、を備え、
前記コントローラは、
前記第１の動作において、前記音出力部に所定のアラート音を出力させるとともに、前記通信部に所定のアラート信号を送信させ、
前記第２の動作において、前記音出力部に前記所定のアラート音を出力させずに、前記通信部に前記所定のアラート信号を送信させる、
携帯電子機器。
【請求項２】
前記コントローラは、前記第１の動作および前記第２の動作の何れを行うか設定可能にする、請求項１に記載の携帯電子機器。
【請求項３】
前記第１の動作および前記第２の動作のいずれを行うか選択可能な動作スイッチを備え、
前記コントローラは、前記動作スイッチによる選択に基づいて、前記第１の動作または前記第２の動作を行う、請求項１または２に記載の携帯電子機器。
【請求項４】
音出力の有無を選択可能な音出力スイッチを備え、
前記コントローラは、前記音出力スイッチによる選択に基づいて、前記音出力部から出力させる音の有無を制御し、
前記音出力スイッチは、前記動作スイッチを兼ねる、請求項３に記載の携帯電子機器。
【請求項５】
前記コントローラは、
前記音出力スイッチにより音出力が有に選択されている場合に前記第１の動作を行い、
前記音出力スイッチにより音出力が無に選択されている場合に前記第２の動作を行う、請求項４に記載の携帯電子機器。
【請求項６】
前記コントローラは、前記第２の動作において、前記音出力部に前記所定のアラート音とは異なる音を出力させる、請求項１から３のいずれか一項に記載の携帯電子機器。
【請求項７】
前記コントローラは、前記音出力部にモスキート音を出力させる、請求項６に記載の携帯電子機器。
【請求項８】
前記コントローラは、前記音出力部に段階的に大きくなる音を出力させる、請求項６に記載の携帯電子機器
【請求項９】
前記コントローラは、前記第２の動作において、前記通信部に前記所定のアラート信号を送信させた後に前記操作検出部が検出するユーザの操作に基づいて前記所定のアラート音を出力させる、請求項１から３のいずれか一項に記載の携帯電子機器。
【請求項１０】
前記携帯電子機器の状態について所定のデータを検出するセンサを備え、
前記コントローラは、前記操作検出部が前記操作を検出すると、前記センサが検出するデータに基づいて、前記第１の動作または前記第２の動作を行う、請求項１に記載の電子機器。
【請求項１１】
前記携帯電子機器において取得される所定のデータを記憶するメモリを備え、
前記コントローラは、前記操作検出部が前記操作を検出すると、前記メモリに記憶されたデータに基づいて、前記第１の動作または前記第２の動作を行う、請求項１に記載の電子機器。
【請求項１２】
前記コントローラは、
前記操作検出部が検出する操作が第１の所定の操作と判定したら前記第１の動作を行い、
前記操作検出部が検出する操作が第２の所定の操作と判定したら前記第２の動作を行う、請求項１に記載の携帯電子機器。
【請求項１３】
前記操作検出部を複数備え、
前記コントローラは、前記第１の所定の操作および前記第２の所定の操作を、前記複数の操作検出部のうち少なくとも２つにおいて同時に検出される異なる態様の操作として判定する、請求項１２に記載の携帯電子機器。
【発明の詳細な説明】
【技術分野】
【０００１】
本開示は、携帯電子機器に関する。
【背景技術】
【０００２】
従来、緊急事態が生じた際に、防犯を目的として例えばブザーのようなアラート音を出力する携帯電子機器が知られている。特許文献１に記載の携帯電子機器は、ユーザの操作を検出すると、特定の宛先に通知メールを送信するとともに、アラート音を出力する。
【先行技術文献】
【特許文献】
【０００３】
【特許文献１】特開２０１６−１０５６３０号公報
【発明の概要】
【発明が解決しようとする課題】
【０００４】
上述の携帯電子機器は、ユーザの操作により防犯ブザーを動作させることができる。しかし、ユーザに緊急事態が生じた際に、状況に応じて携帯電子機器が適切にアラート音を出力すれば、ユーザの安全に資する。
【０００５】
本開示の目的は、ユーザの安全に資する携帯電子機器を提供することにある。
【課題を解決するための手段】
【０００６】
本開示の携帯電子機器は、信号を送信する通信部と、音を出力する音出力部と、ユーザの操作を検出する操作検出部と、前記操作検出部が所定の操作を検出すると、第１の動作または第２の動作を行うように制御するコントローラと、を備え、前記コントローラは、前記第１の動作において、前記音出力部に所定のアラート音を出力させるとともに、前記通信部に所定のアラート信号を送信させ、前記第２の動作において、前記音出力部に前記所定のアラート音を出力させずに、前記通信部に前記所定のアラート信号を送信させる。
【発明の効果】
【０００７】
本開示の一実施形態によれば、ユーザの安全に資することが可能となる。
【図面の簡単な説明】
【０００８】
【図１】第１の実施形態に係るスマートフォンの外観図である。
【図２】図１に示すスマートフォンの機能構成図である。
【図３】図１に示すタッチスクリーンディスプレイに表示される設定画面の一例を示す図である。
【図４】第１の実施形態におけるスマートフォンの動作を説明するフロー図である。
【図５】第２の実施形態におけるスマートフォンの動作を説明するフロー図である。
【図６】第３の実施形態におけるスマートフォンの動作を説明するフロー図である。
【図７】第４の実施形態におけるスマートフォンの動作を説明するフロー図である。
【図８】第５の実施形態に係るスマートフォンの外観図である。
【図９】第５の実施形態におけるスマートフォンの動作を説明するフロー図である。
【発明を実施するための形態】
【０００９】
＜第１の実施形態＞
まず、図１および図２を参照して、第１の実施形態に係る携帯電子機器の構成について説明する。図１は、本実施形態に係る携帯電子機器の外観図である。また、図２は、図１に示す携帯電子機器の機能構成図である。
【００１０】
図１に示すように、第１の実施形態に係るスマートフォンタイプの携帯電子機器１（以降、「スマートフォン１」という）は、ハウジング２と、タッチスクリーンディスプレイ３と、操作検出部４Ａ〜４Ｈと、近接センサ５と、音出力部７と、マイク８と、カメラ９と、音出力スイッチ１０とを備える。図１に示すように、タッチスクリーンディスプレイ３と、操作検出部４Ａ〜４Ｃと、近接センサ５と、音出力部７と、マイク８と、カメラ９とは、ハウジング２の図１における正面に配置される。また、操作検出部４Ｄ〜４Ｈと、音出力スイッチ１０とは、図１における側面に配置される。以下では、操作検出部４Ａ〜４Ｈを、どのボタンであるかを特定することなく、操作検出部４と総称することがある。
【００１１】
また、本実施形態に係るスマートフォン１は、図１に示した機能部の他、図２に示すように、通信部６と、加速度センサ１１、メモリ１２と、コントローラ１３とを有する。これらの機能部は、それぞれ、図１に示すハウジング２の内部に配置される。
【００１２】
図２で示すように、コントローラ１３は、例えば、ＣＰＵ（Central Processing Unit）である。コントローラ１３は、通信部６等の他の構成要素が統合されたＳｏＣ（System-on-a-Chip）等の集積回路であってもよい。コントローラ１３は、複数の集積回路を組み合わせて構成されていてもよい。コントローラ１３は、スマートフォン１の各機能部を制御するとともに、スマートフォン１の動作を統括的に制御して各種の機能を実現する。本実施形態におけるコントローラ１３の動作は、さらに後述する。
【００１３】
タッチスクリーンディスプレイ３は、ディスプレイ３Ａと、タッチスクリーン３Ｂとを有する。ディスプレイ３Ａは、液晶ディスプレイ（Liquid Crystal Display）、有機ＥＬパネル（Organic Electro-Luminescence panel）、または無機ＥＬパネル（Inorganic Electro-Luminescence panel）等の表示デバイスを備える。ディスプレイ３Ａは、文字、画像、記号または図形等を表示する。ディスプレイ３Ａにおいて表示を行うために必要なデータは、コントローラ１３から送信される。また、ディスプレイ３Ａは、適宜、バックライトなどを含んで構成してもよい。
【００１４】
タッチスクリーン３Ｂは、タッチスクリーンディスプレイ３を操作するユーザの指、またはスタイラスペン等の接触を検出する。タッチスクリーン３Ｂは、複数の指、またはスタイラスペン等がタッチスクリーン３Ｂに接触した位置を検出することができる。タッチスクリーン３Ｂの検出方式は、静電容量方式、抵抗膜方式、表面弾性波方式（または超音波方式）、赤外線方式、電磁誘導方式、および荷重検出方式等の任意の方式とすることができる。タッチスクリーン３Ｂが検出した信号は、コントローラ１３に送信される。
【００１５】
タッチスクリーンディスプレイ３は、上述したように、ディスプレイ３Ａと、タッチスクリーン３Ｂとを有する。ディスプレイ３Ａは、文字、画像、記号、または図形等のオブジェクトを表示する。タッチスクリーン３Ｂは、操作対象であるオブジェクトに対する接触を検出することによって、スマートフォン１に対する操作を検出する。コントローラ１３は、タッチスクリーン３Ｂと協働することによって、タッチスクリーン３Ｂ（タッチスクリーンディスプレイ３）における操作を検出する。
【００１６】
操作検出部４は、ユーザによる操作を検出する。操作検出部４は、操作を検出すると検出信号を出力してもよい。操作検出部４が検出した信号は、コントローラ１３に送信される。操作検出部４に対する操作は、例えば、クリック、ダブルクリック、プッシュ、ロングプッシュ、およびマルチプッシュである。
【００１７】
例えば、操作検出部４Ａ〜４Ｃは、例えば、ホームボタン、バックボタンまたはメニューボタンである。本実施形態では、操作検出部４Ａ〜４Ｃとして、タッチセンサ型のボタンが採用されている。例えば、操作検出部４Ｄは、スマートフォン１のパワーオン／オフボタンである。操作検出部４Ｄは、スリープ／スリープ解除ボタンを兼ねてもよい。例えば、操作検出部４Ｅおよび４Ｆは、音量ボタンである。
【００１８】
操作検出部４Ｇは、音出力部７等からアラート音を出力させたり、アラート信号を送信させたりするためのボタンである。アラート音は、例えば、周囲にいる人に聞こえる、危険な状況の発生を想起させるブザーのような音とすることができる。アラート信号は、緊急事態が生じている旨を伝えるためのメッセージ、識別子等を示す信号とすることができる。アラート信号は、予め契約している警備会社、または予め登録している家族等の宛先に送信されるものとすることができる。
【００１９】
スマートフォン１は、操作検出部４Ｇの代わりに操作検出部４Ｈを備えてもよい。操作検出部４Ｈは、該操作検出部４Ｈに連結されたストラップ４Ｈ１を介してユーザに引っ張られる操作を検出する。また、操作検出部４は、操作検出部４Ｇとともに操作検出部４Ｈを含めて構成してもよい。
【００２０】
近接センサ５は、近隣の物体の存在を非接触で検出する。近接センサ５は、例えば、スマートフォン１のユーザが通話を行うために耳にタッチスクリーンディスプレイ３などを近付けたことを検出する。このため、近接センサ５は、例えば所定の物体が近接センサ５に所定の距離以内に接近したら検出信号を出力してもよい。また、近接センサ５は、例えば近接センサ５と所定の物体との間の距離に応じた検出信号を出力してもよい。近接センサ５が検出した信号は、コントローラ１３に送信される。
【００２１】
通信部６は、信号を送信したり、受信したりする。通信部６によって行われる通信方式は、無線通信規格である。例えば、無線通信規格として、２Ｇ（2nd Generation）、３Ｇ（3rd Generation）、４Ｇ（4th Generation）等の規格がある。例えば、無線通信規格として、ＬＴＥ（Long Term Evolution）、Ｗ−ＣＤＭＡ、ＣＤＭＡ２０００、ＰＤＣ、ＧＳＭ（登録商標）、ＰＨＳ（Personal Handy-phone System）等がある。例えば、無線通信規格として、ＷｉＦｉ（The Standard for Wireless Fidelity）、ＷｉＭＡＸ（Worldwide Interoperability for Microwave Access）、ＩＥＥＥ８０２．１１、Ｂｌｕｅｔｏｏｔｈ（登録商標）、ＩｒＤＡ（Infrared Data Association）、ＮＦＣ（Near field radio communication）等がある。通信部６は、上述した通信規格の１つまたは複数をサポートしていてもよい。
【００２２】
また、通信部６は、コントローラ１３の制御に基づいて、他の通話機器に音声の信号を送信したり、他の通話機器から送信された音声の信号を受信したりする通話機能を実行してもよい。
【００２３】
音出力部７は、コントローラ１３から出力される音声信号を音声として出力する。音出力部７は、例えば、スピーカである。音出力部７は、スピーカに限られず、スマートフォン１の周辺、例えば数メートルの範囲で聞くことのできる音を出力する任意の部材であってよい。
【００２４】
マイク８は、ユーザ等の音声を音声信号へ変換する。マイク８が変換した音声信号は、コントローラ１３へ送信される。スマートフォン１において通話の機能を実行する際は、スマートフォン１のユーザが話す声をマイク８に入力することができる。
【００２５】
カメラ９は、ハウジング２の、図１に示す正面側の像を撮像する。カメラ９は、ハウジング２の、図１に示す正面に対向する背面側に配置され、背面側の像を撮像してもよい。カメラ９は撮像した画像をコントローラ１３へ送信されてもよい。
【００２６】
音出力スイッチ１０は、ユーザの操作により位置が切り替えられ、音出力の有無を選択可能なスイッチである。コントローラ１３は、音出力スイッチ１０の位置を検出し、該位置に基づいて音出力部７に音を出力させたり、出力させなかったりする。例えば、コントローラ１３は、音出力スイッチ１０により音出力が有に選択されている場合に音出力部７に音を出力させる。一方、コントローラ１３は、音出力スイッチ１０により音出力が無に選択されている場合に音出力部７に音を出力させない。このように、スマートフォン１の待機（スタンバイ）時に音出力部７から音を出力させない動作モードは、いわゆるマナーモードまたはサイレントモード等としてもよい。
【００２７】
加速度センサ１１は、スマートフォン１の加速度を計測する。また、加速度センサ１１が計測した加速度を示すデータはコントローラ１３に送信される。
【００２８】
メモリ１２は、プログラムおよびデータを記憶する。また、メモリ１２は、コントローラ１３の処理結果を一時的に記憶する作業領域としても利用される。メモリ１２は、半導体記憶デバイス、および磁気記憶デバイス等の任意の記憶デバイスを含んでよい。また、メモリ１２は、複数の種類の記憶デバイスを含んでよい。また、メモリ１２は、メモリカード等の可搬の記憶媒体と、記憶媒体の読み取り装置との組み合わせを含んでよい。
【００２９】
図２に示すように、メモリ１２は、例えば、制御プログラム１２Ａおよび警報アプリケーション１２Ｂを記憶する。制御プログラム１２Ａおよび警報アプリケーション１２Ｂは、通信部６による無線通信または記憶媒体を介してメモリ１２にインストールされてもよい。本明細書においては、アプリケーションプログラムを「アプリケーション」と略記する。
【００３０】
制御プログラム１２Ａは、スマートフォン１に各種機能を実行させるためのプログラムである。具体的には、コントローラ１３が制御プログラム１２Ａに従って、例えば、各機能部を制御することによって各種機能を実行する。
【００３１】
警報アプリケーション１２Ｂは、例えば、ディスプレイ３Ａに所定の画面を表示させ、タッチスクリーン３Ｂを介して検出される操作に応じた処理を行うためのアプリケーションである。具体的には、警報アプリケーション１２Ｂは、例えばユーザによって警報を発する操作が行われると、音出力部７による音の出力を制御するとともに、通信部６に所定のアラート信号を送信させるためのアプリケーションである。
【００３２】
また、メモリ１２は、通信部６、マイク８、加速度センサ１１などが取得した所定のデータを記憶するデータ記憶部１２Ｃを有する。所定のデータは、例えば、マイク８によって検出された音声、加速度センサ１１によって検出された加速度の時間変化、通信部６によって取得された周辺に人がいるかを示す周辺データなどとすることができる。
【００３３】
上述の説明において、携帯電子機器１は、スマートフォン１であるとして説明したが、この限りではない。携帯電子機器１は、例えばフィーチャーフォンタイプの携帯電話またはファブレット等としてもよい。また、携帯電子機器１は、アラート音の出力及びアラート信号の送信を行うための（防犯）専用端末であってもよい。この場合、通信部６は、上述の通話機能を備えなくてもよい。
【００３４】
ここで、コントローラ１３が、通話の通信中に警報アプリケーション１２Ｂに従って行う動作について説明する。
【００３５】
コントローラ１３は、ユーザにより操作されると、第１の動作または第２の動作を行う。ここで、第１の動作においては、所定のアラート音を出力させ、所定のアラート信号を送信させる。また、第２の動作においては、所定のアラート音を出力させず、所定のアラート信号を送信させる。
【００３６】
従来、警報音を発生する防犯ブザーは、ユーザにより操作されると大きな音でアラート音を出力する。このとき、防犯ブザーは、アラート信号を所定の宛先に送信することもある。しかしながら、ユーザが相手から危害を加えられそうな危険な状況でアラート音が出力されると、相手が刺激されて、より事態が悪化することも想定される。したがって、危険な状況であっても、敢えてアラート音を出力させずにアラート信号のみを出力させる方が、ユーザの安全性の観点からは適切な場合がある。したがって、本実施形態では、コントローラ１３は、後述する種々の条件に応じて第１の動作および第２の動作のいずれかを行う。
【００３７】
以降において、コントローラ１３が第１の動作または第２の動作を行う処理について詳細に説明する。
【００３８】
コントローラ１３は、操作検出部４Ａ〜４Ｈのうちの所定の操作検出部が所定の操作を検出すると、本実施形態の動作を開始する。以下、操作検出部４Ａ〜４Ｈのうち所定の操作検出部を、「操作検出部４Ｘ」と記す。所定の操作は、操作検出部４Ｘに対する所定のパターンでの操作（例えば、長押し、所定回数の押下）でもよい。
【００３９】
本実施形態の動作の開始に先だって、コントローラ１３は、予めユーザの操作に基づいて音出力部７に関する音出力設定を行う。具体的には、コントローラ１３は、例えばタッチスクリーンディスプレイ３に設定画面を表示させる。設定画面には、第１の動作および第２の動作のいずれかを行うかを設定させるための標記が表示される。例えば、設定画面には、図３（ａ）に示すようなアラート音の出力の有無を選択させるための「アラート音を出力する」、「アラート音を出力しない」の標記が表示される。コントローラ１３は、タッチスクリーンディスプレイ３上の「アラート音を出力する」の表示領域に対応するラジオボタンへのタッチを検出すると、第１の動作または第２の動作を行う際に第１の動作を行うように設定する。第１の動作は、音出力部７に所定のアラート音を出力させるとともに、通信部６に所定のアラート信号を送信させる動作である。また、コントローラ１３は、タッチスクリーンディスプレイ３上の「アラート音を出力しない」の表示領域に対応するラジオボタンへのタッチを検出すると、第１の動作または第２の動作を行う際に第２の動作を行うように設定する。第２の動作は、音出力部７に所定のアラート音を出力させずに、通信部６に所定のアラート信号を送信させる動作である。
【００４０】
また、コントローラ１３は、設定画面上の「アラート音を出力しない」の表示領域に対応するラジオボタンへのタッチを検出すると、タッチスクリーンディスプレイ３に詳細設定画面を表示させてもよい。例えば、詳細設定画面には、図３（ｂ）に示すような音出力部７の動作を選択させるための、「音を出力しない」、「段階的に音量を上げる」、「モスキート音を出力する」、「確認する」の標記が表示される。
【００４１】
コントローラ１３は、詳細設定画面上の「音を出力しない」の表示領域に対応するラジオボタンへのタッチを検出すると、以降の第２の動作において、音出力部７に音を出力させないよう設定する。また、コントローラ１３は、詳細設定画面上の「段階的に音量を上げる」の表示領域に対応するラジオボタンへのタッチを検出すると、以降の第２の動作において、音出力部７に段階的に大きくなるように音を出力させるよう設定する。また、コントローラ１３は、詳細設定画面上の「モスキート音を出力する」の表示領域に対応するラジオボタンへのタッチを検出すると、以降の第２の動作において、音出力部７にモスキート音を出力させるよう設定する。
【００４２】
コントローラ１３は、詳細設定画面上の「確認する」の表示領域に対応するラジオボタンへのタッチを検出すると、以降の第２の動作において、音を出力するための操作を検出すると音出力部７にアラート音を出力させるよう設定する。具体的には、コントローラ１３は、通信部６にアラート信号を送信させた後、タッチスクリーンディスプレイ３に確認画面を表示させる。確認画面には、アラート音を出力させるか否かをユーザに問う旨の表示、およびユーザに、音出力部７がアラート音を「出力する」か「出力しない」かを選択させるためのボタンが表示される。コントローラ１３は、アラート音を出力する選択をするためのボタンへのタッチを検出すると、音出力部７にアラート音を出力させる。コントローラ１３は、アラート音を出力させない選択をするためのボタンへのタッチを検出すると、音出力部７にアラート音を出力させない。
【００４３】
コントローラ１３は、設定画面で表示される標記と詳細設定画面で表示される標記とを併せて１つの設定画面に表示させてもよい。
【００４４】
ここで、第１の実施形態に係るスマートフォン１の動作について、図４を参照して説明する。コントローラ１３は、例えばスマートフォン１が起動されると、図４に示す動作を開始する。
【００４５】
まず、コントローラ１３は、操作検出部４が所定の操作を検出したか否かを判定する（ステップＳ１）。所定の操作は、上述のように、例えば、操作検出部４Ｇの押下である。所定の操作は、ストラップ４Ｈ１を引っ張ることによる操作検出部４Ｈの変位であってもよい。
【００４６】
ステップＳ１で、所定の操作が検出されると、コントローラ１３は、音出力設定が「アラート音を出力する」であるか否かを判定する（ステップＳ１）。ステップＳ１で所定の操作が検出されないと、ステップＳ１に戻って、コントローラ１３は再び、操作検出部４が所定の操作を検出したか否かを判定する。
【００４７】
ステップＳ２で音出力設定が「アラート音を出力する」である場合、コントローラ１３は、通信部６に所定のアラート信号を送信させ、音出力部７に所定のアラート音を出力させる（ステップＳ３）。
【００４８】
ステップＳ２で音出力設定が「アラート音を出力する」でない場合、コントローラ１３は、音出力設定が「段階的に音量を上げる」であるか否かを判定する（ステップＳ４）。
【００４９】
ステップＳ４で音出力設定が「段階的に音量を上げる」である場合、コントローラ１３は、通信部６に所定のアラート信号を送信させ、音出力部７に段階的に音量を上げながら音を出力させる（ステップＳ５）。
【００５０】
ステップＳ４で「段階的に音量を上げる」でない場合、コントローラ１３は、音出力設定が「モスキート音を出力する」であるか否かを判定する（ステップＳ６）
【００５１】
ステップＳ６で音出力設定が「モスキート音を出力する」である場合、コントローラ１３は、通信部６に所定のアラート信号を送信させ、音出力部７にモスキート音を出力させる（ステップＳ７）。
【００５２】
ステップＳ６で音出力設定が「モスキート音を出力する」でない場合、コントローラ１３は、通信部６に、緊急事態が生じている旨を示す所定のアラート信号を、予め契約している警備会社、予め登録している家族等の宛先に送信させる（ステップＳ８）。
【００５３】
ステップＳ８で所定のアラート信号が送信されると、コントローラ１３は、音出力設定が「確認する」であるか否かを判定する（ステップＳ９）
【００５４】
ステップＳ９で音出力設定が「確認する」であると、コントローラ１３は、タッチスクリーンディスプレイ３に上述した確認画面を表示する（ステップＳ１０）。
【００５５】
ステップＳ９で確認画面が表示されているとき、コントローラ１３は、確認画面上の「音を出力する」の表示領域へのタッチが検出されたか否かを判定する（ステップＳ１１）。
【００５６】
ステップＳ１１で「音を出力する」の表示領域へのタッチが検出されると、コントローラ１３は、音出力部７に所定のアラート音を出力させる（ステップＳ１２）。
【００５７】
ステップＳ１１で「音を出力する」の表示領域へのタッチが検出されないと、コントローラ１３は、図４に示す動作を終了する。
【００５８】
以上、第１の実施形態によれば、コントローラ１３は、ユーザの操作を検出すると、第１の動作または第２の動作を行う。コントローラ１３は、第１の動作において、音出力部７に所定のアラート音を出力させるとともに、通信部６に所定のアラート信号を送信させる。また、コントローラ１３は、第２の動作において、音出力部７に所定のアラート音を出力させずに、通信部６に所定のアラート信号を送信させない。すなわち、スマートフォン１は、所定の操作を検出すると、状況に応じて所定のアラート音を出力させたり、出力させなかったりする。このため、ユーザが危機的な状況にあった場合、アラート音を出力させることで該危機的な状況をさらに悪化させるリスクを軽減することが可能となる。例えば、コントローラ１３が第２の動作を行うと、所定のアラート音は出力されないため、ユーザに危険を及ぼす相手を刺激するのを回避することができる。また、相手を刺激するリスクが少ない場合には、コントローラ１３が第１の動作を行うことによって、所定のアラート音が出力され、周辺の第三者に助けを求めることができる。このように、アラート音を出力する音出力部７が制御されることでユーザの安全に資することができる。
【００５９】
また、第１の実施形態によれば、コントローラ１３は、第１の動作において、音出力部７に所定のアラート音を出力させるとともに、通信部６に所定のアラート信号を送信させる。また、コントローラ１３は、第２の動作において、音出力部７に所定のアラート音を出力させずに、通信部６に所定のアラート信号を送信させる。このため、コントローラ１３は、スマートフォン１のユーザに緊急事態が生じた際に、アラート信号を送信させる一方、アラート音については出力したり、出力しなかったりすることができる。緊急事態が生じている現場においては、アラート音が出力されない方がユーザにとっての危険性を高めないために適切である場合もある。したがって、アラート信号により警備会社、家族等に緊急事態が生じている旨を知らせつつ、状況に応じてアラート音の出力を制御することによって、ユーザの安全に資することができる。
【００６０】
また、第１の実施形態によれば、コントローラ１３は、例えば設定画面により、第１の動作および第２の動作の何れを行うか設定可能にする。このため、ユーザは、緊急事態が生じた際にアラート音を出力させるか否かを予め選択することができ、適切にユーザの安全に資することができる。
【００６１】
また、第１の実施形態によれば、コントローラ１３は、第２の動作において、音出力部７に所定のアラート音（通常のアラート音）とは異なる音を出力させてもよい。緊急事態が生じている現場において、所定のアラート音を出力させない方が適切である場合であっても、異なる音を出力することによってユーザの安全に資することができる場合がある。
【００６２】
また、第１の実施形態によれば、コントローラ１３は、音出力部７にモスキート音を出力させてもよい。例えば、ユーザにとって危険を及ぼす可能性のある人物が比較的高齢であるためモスキート音が聞こえず、ユーザを危険な状況から救助する可能性のある人物が若年齢である場合がある。この場合、若年齢の人々に聞こえやすいモスキート音を出力することによって、危険を及ぼす可能性のある人物がアラート音に気付くことなく、救助する可能性のある人物はアラート音に気付くことが想定される。この場合、アラート音に気付く人物によりユーザが救出される可能性があり、ユーザの安全に資することができる。
【００６３】
また、第１の実施形態によれば、コントローラ１３は、音出力部７に段階的に大きくなる音を出力させてもよい。このため、所定のアラート音を出力させない方が適切である場合であっても、段階的に大きくなる音を出力することによってユーザの安全に資する場合がある。
【００６４】
また、第１の実施形態によれば、コントローラ１３は、第２の動作において、通信部６に所定のアラート信号を送信させた後に操作検出部４が検出するユーザの操作に基づいて所定のアラート音を出力させてもよい。このため、ユーザに緊急事態が生じた際に、コントローラ１３は、迅速にアラート信号を送信し、さらにユーザ自身の状況に応じた判断に基づいて音を出力させたり、させなかったりすることができる。したがって、状況に応じて適切にユーザの安全に資することができる。
【００６５】
＜第２の実施形態＞
次に、本開示の第２の実施形態について、図面を参照して説明する。第２の実施形態の機能ブロック図は第１の実施形態の機能ブロック図と同様であるため説明を省略する。その他、第１の実施形態と同様の説明は省略する。
【００６６】
第１の実施形態において、コントローラ１３は、タッチスクリーンディスプレイ３に表示する設定画面へのタッチによる設定に基づいて音出力を制御した。第２の実施形態では、スマートフォン１は、操作検出部４が操作を検出した際に行われる動作を第１の動作とするか第２の動作とするか切り替え可能な動作スイッチ１４を備える。音出力スイッチ１０が動作スイッチ１４を兼ねることができる。この場合、スマートフォン１は、音出力スイッチ１０と動作スイッチ１４との２つのスイッチを備える必要がなく、１つのスイッチを備えればよい。したがって、スマートフォン１は簡易な構成とされ得る。また、動作スイッチ１４は、音出力スイッチ１０とは別に設けたスイッチとすることもできる。
【００６７】
コントローラ１３は、動作スイッチ１４の設定を検出することによって音出力を制御する。動作スイッチ１４は、ユーザの切替え操作により側面に沿って変位することによって、第１の動作と、第２の動作とのいずれかを設定する。例えば、音出力スイッチ１０が図１に示すハウジング２の左側の所定の位置にあるとき、第１の動作が設定される。また、音出力スイッチ１０が、図１の点線に示すような、第１の動作が設定されている位置より上側に位置しているとき、第２の動作が設定される。
【００６８】
コントローラ１３は、音出力スイッチ１０が第１の動作を設定しているか、第２の動作を設定しているかを判定する。コントローラ１３は、音出力スイッチ１０が第１の動作に設定されているとき、第１の動作を行うように制御する。また、コントローラ１３は、音出力スイッチ１０が第２の動作に設定されているとき、第２の動作を行うように制御する。
【００６９】
また、上述のように、音出力スイッチ１０が動作スイッチ１４を兼ねる場合、コントローラ１３は、音出力スイッチ１０により音出力が有に選択されている場合に第１の動作を行うことができる。また、この場合、コントローラ１３は、音出力スイッチ１０により音出力が無に選択されている場合に第２の動作を行うことができる。このため、音出力スイッチ１０の選択により音が出力されないとき、緊急事態が発生した際にも音出力がされず、音出力スイッチ１０の選択により音が出力されるとき、緊急事態が発生した際にも音が出力される。したがって、ユーザは、スイッチの設定について混乱することなく、確実に自身の意図したとおりに緊急時の音出力が制御されるように設定することができる。
【００７０】
コントローラ１３は、音出力スイッチ１０が第２の動作を設定しているとき、第１の実施形態と同様に、予めの設定に基づいて、第２の動作において、音出力部７が段階的に音量を上げたり、モスキート音を出力したりするよう制御してもよいし、タッチスクリーンディスプレイ３に確認画面を表示させて「音を出力する」の表示領域へのタッチを検出してからアラート音を出力するよう制御してもよい。
【００７１】
ここで、第２の実施形態に係るスマートフォン１の動作について、図５を参照して説明する。コントローラ１３は、スマートフォン１が起動されると動作を開始する。
【００７２】
まず、コントローラ１３は、操作検出部４が所定の操作を検出したか否かを判定する（ステップＳ２１）。所定の操作は、第１の実施形態と同様に、例えば、操作検出部４Ｇの押下である。所定の操作は、ストラップ４Ｈ１を引っ張ることによる操作検出部４Ｈの変位であってもよい。
【００７３】
ステップＳ２１で所定の操作が検出されると、コントローラ１３は、音出力スイッチ１０が「第１の動作」を設定しているか否かを判定する（ステップＳ２２）。ステップＳ２１で所定の操作が検出されないと、ステップＳ２１に戻って、コントローラ１３は再び、操作検出部４が所定の操作を検出したか否かを判定する。
【００７４】
ステップＳ２２で音出力スイッチ１０が「第１の動作」を設定していると、コントローラ１３は、通信部６に所定のアラート信号を送信させ、音出力部７に所定のアラート音を出力させる（ステップＳ２３）。
【００７５】
ステップＳ２２で音出力スイッチ１０の設定が「第１の動作」でない、すなわち「第２の動作」であると、コントローラ１３は、通信部６に所定のアラート信号を送信させる（ステップＳ２４）。この場合、コントローラ１３は、音出力部７に所定のアラート音を出力させない。また、コントローラ１３は、ステップＳ２２で音出力スイッチ１０の設定が「第２の動作」であるとき、予め設定された音出力設定に基づき、第１の実施形態のステップＳ４からＳ１２までの処理を行ってもよい。
【００７６】
以上、第２の実施形態において、コントローラ１３は、動作スイッチ１４による選択に基づいて、第１の動作または第２の動作を行う。このため、ユーザは、簡易な操作で、予め緊急事態が生じた際にアラート音を出力させるか否かを選択することができる。
【００７７】
＜第３の実施形態＞
次に、本開示の第３の実施形態について、図面を参照して説明する。第３の実施形態の外観図および機能ブロック図は第１の実施形態の外観図および機能ブロック図と同様であるため説明を省略する。その他、第１の実施形態と同様の説明は省略する。
【００７８】
第１の実施形態において、コントローラ１３は、タッチスクリーンディスプレイ３に表示する設定画面へのタッチによる設定に基づいて音出力を制御した。第３の実施形態では、コントローラ１３は、近接センサ５およびタッチスクリーン３Ｂとしての接触センサによって検出された検出対象のデータに基づいて、第１の動作または第２の動作を行うよう制御する。第３の実施形態では、タッチスクリーン３Ｂは静電容量方式により接触を検出する。
【００７９】
具体的には、コントローラ１３は、近接センサ５によって物体の近接が検出されていると、第１の動作を行うように制御する。また、コントローラ１３は、近接センサ５によって物体の近接が検出されておらず、かつタッチスクリーン３Ｂとしての接触センサが人体の接触を検出していると、第１の動作を行うように制御する。また、コントローラ１３は、近接センサ５によって物体の近接が検出されておらず、かつ接触センサが人体の接触を検出していないと、第２の動作を行うように制御する。接触センサは、静電容量方式の接触センサであり、コントローラ１３は、該接触センサによって計測された電気信号が人体の接触に特有のパターンを有している場合、人体の接触を検出する。
【００８０】
ここで、第３の実施形態に係るスマートフォン１の動作について、図６を参照して説明する。コントローラ１３は、スマートフォン１が起動されると動作を開始する。
【００８１】
まず、コントローラ１３は、操作検出部４が所定の操作を検出したか否かを判定する（ステップＳ３１）。所定の操作は、第１の実施形態と同様に、例えば、操作検出部４Ｇの押下である。所定の操作は、ストラップ４Ｈ１を引っ張ることによる操作検出部４Ｈの変位であってもよい。
【００８２】
ステップＳ３１で、所定の操作が検出されると、コントローラ１３は、近接センサ５によって物体の近接が検出されているか否かを判定する（ステップＳ３２）。ステップＳ３１で所定の操作が検出されないと、ステップＳ３１に戻って、コントローラ１３は再び、操作検出部４が所定の操作を検出したか否かを判定する。
【００８３】
ステップＳ３２で物体の近接が検出されていないと、コントローラ１３は、通信部６に所定のアラート信号を送信させ、音出力部７に所定のアラート音を出力させる（ステップＳ３３）。
【００８４】
ステップＳ３２で物体の近接が検出されていないと、コントローラ１３は、接触センサによって人体の接触が検出されているか否かを判定する（ステップＳ３４）。
【００８５】
ステップＳ３４で人体の接触が検出されていると、コントローラ１３は、通信部６に所定のアラート信号を送信させる（ステップＳ３５）。また、ステップＳ３４で人体の接触が検出されていないと、コントローラ１３は、通信部６に所定のアラート信号を送信させ、音出力部７に所定のアラート音を出力させる（ステップＳ３３）。
【００８６】
以上、第３の実施形態によれば、コントローラ１３は、操作検出部４が操作を検出すると、近接センサ５および接触センサ等のセンサが検出するデータに基づいて、第１の動作または第２の動作を行う。検出されたデータに基づいて、スマートフォン１がユーザに危険を及ぼす可能性のある人物の目にするところにあるか否かが推定され得る。例えば、外部の人物の目に触れていない状態のスマートフォン１がアラート音を発してしまうと、ユーザが防犯のための装置を所有していることが相手に気づかれることにより、不利な状況に陥るおそれがある。そのような場合、スマートフォン１がポケット内にある状態で所定の操作がされたときに、ユーザは所定のアラート音が出力されるのを望まないことが多いと考えられる。また、スマートフォン１がユーザの手によって直接触れられている場合には、ユーザは所定のアラート音が出力されるのを望むことが多いと考えられる。したがって、センサが検出するデータに基づいて、コントローラ１３が動作することによって音の出力の有無がユーザの意図通りになる可能性が高く、適切にユーザの安全に資することができる。
【００８７】
＜第４の実施形態＞
次に、本開示の第４の実施形態について、図面を参照して説明する。第４の実施形態の外観図および機能ブロック図は第１の実施形態の外観図および機能ブロック図と同様であるため説明を省略する。その他、第１の実施形態と同様の説明は省略する。
【００８８】
上述した第３の実施形態においてコントローラ１３は、近接センサ５による近接の検出、および接触センサによる接触の検出に基づいて音出力の制御を行った。第４の実施形態においては、コントローラ１３は、スマートフォン１が取得した所定のデータに基づいて音出力の制御を行う。
【００８９】
具体的には、コントローラ１３は、マイク８が取得した音声を示すデータを所定のデータとして取得し、メモリ１２のデータ記憶部１２Ｃに記憶させる。コントローラ１３は、メモリ１２に記憶されている所定のデータに基づいて音出力の制御を行う。例えば、コントローラ１３は、音声が所定のパターンである場合に、ユーザがストラップ４Ｈ１を引っ張ることによって操作検出部４Ｈが操作されると、第１の動作を実行するよう制御する。また、コントローラ１３は、音声が所定のパターンでない場合に、第１の動作または第２の動作を行う際に第２の動作を実行するよう制御する。
【００９０】
音声についての所定のパターンは、ユーザが他者により危害を及ぼされるときに発生することの多い、怒鳴り声、威嚇する声等の音声のパターンである。すなわち、所定のパターンは、例えば、所定の音量以上とすることができる。また、所定のパターンは、他者を威嚇するときの音声のパターンとしてもよい。
【００９１】
また、コントローラ１３は、加速度センサ１１が取得した加速度の時間変化を示すデータを所定のデータとして取得し、データ記憶部１２Ｃに記憶させる。コントローラ１３は、メモリ１２に記憶されている加速度の時間変化に基づいて音出力の制御を行う。例えば、コントローラ１３は、加速度の時間変化が所定のパターンでないと、第１の動作を実行するよう制御する。また、コントローラ１３は、加速度の時間変化が所定のパターンであると、第２の動作を実行するよう制御する。加速度の時間変化についての所定のパターンは、例えば、スマートフォン１のユーザが急に引っ張られたり突き飛ばされたりしたときに加速度センサ１１が検出する、加速度の時間変化のパターンである。
【００９２】
また、所定のデータは、スマートフォン１の周囲に人がいるか否かを示す周辺データでもよい。この場合、通信部６は、外部のサーバから周辺データを取得してもよいし、周辺の通信機器から直接、周辺データを取得してもよい。コントローラ１３は、周辺データに基づいて音出力の制御を行う。例えば、コントローラ１３は、操作検出部４が所定の操作を検出した時点までの所定期間に取得された周辺データが周辺の人の存在を示すとき、周辺データは所定のパターンであるとして第１の動作を実行するよう制御する。また、コントローラ１３は、操作検出部４が所定の操作を検出した時点までの所定期間に取得された周辺データが周辺の人の不存在を示すとき、周辺データは所定のパターンでないとして第２の動作を実行するよう制御する。所定期間は、周辺に人がいるか否かについて、所定の操作が検出された時点と、周辺データが取得された時点とで乖離がみられないと見込まれる時間内とすることが好適である。
【００９３】
コントローラ１３は、センサによって取得されたユーザの身体情報を所定のデータとしてデータ記憶部１２Ｃに記憶させてもよい。この場合、センサは、スマートフォン１に内蔵された各種のセンサを用いてもよいし、スマートフォン１に内蔵されていないセンサを、外部センサとして接続してもよい。身体情報は、ユーザの呼吸、脈拍、発汗、涙、震え等の変動を示す情報である。この場合、コントローラ１３は、データ記憶部１２Ｃに記憶されている身体情報に基づいて、第１の動作または第２の動作を実行させてもよい。
【００９４】
ここで、第４の実施形態に係るスマートフォン１の動作について、図７を参照して説明する。コントローラ１３は、スマートフォン１が起動されると図７に示す動作を開始する。
【００９５】
最初に、所定のデータが音声または加速度の時間変化である場合の動作について説明する。
【００９６】
まず、コントローラ１３は、スマートフォン１が取得した所定のデータをデータ記憶部１２Ｃに記憶する（ステップＳ４１）。
【００９７】
ステップＳ４１で所定のデータが記憶されると、操作検出部４が所定の操作を検出したか否かを判定する（ステップＳ４２）。
【００９８】
ステップＳ４２で、所定の操作が検出されると、コントローラ１３は、ステップＳ４１で記憶された所定のデータが所定のパターンであるか否か、例えば、音出力部７が取得したデータが他者を威嚇するときの音声パターンであるかを判定する（ステップＳ４３）。すなわち、ステップＳ４３においては、ステップＳ４２で所定の操作が検出されるまでにデータ記憶部１２Ｃに記憶された所定のデータが、所定のパターンであるか否かを判定する。ステップＳ４２で所定の操作が検出されないと、ステップＳ４１に戻って、コントローラ１３は再び、操作検出部４が所定の操作を検出したか否かを判定する。すなわち、コントローラ１３は、操作検出部４が所定の操作を検出するまで、スマートフォン１が取得した所定のデータをデータ記憶部１２Ｃに記憶し続ける。
【００９９】
このとき、コントローラ１３は、例えば、加速度センサ１１が取得したデータが、ユーザが急に引っ張られたり突き飛ばされたりしたときの加速度の時間変化のパターンであるか否かを判定してもよい。
【０１００】
ステップＳ４３で所定のデータが所定のパターンである、例えば、音出力部７が取得したデータが他者を威嚇するときの音声パターンであると、通信部６に所定のアラート信号を送信させ、音出力部７に所定のアラート音を出力させる（ステップＳ４４）。
【０１０１】
また、ステップＳ４３で所定のデータが所定のパターンでないと、通信部６に所定のアラート信号を送信させる（ステップＳ４５）。
【０１０２】
次に、所定のデータが、周辺に人がいるか否かを示す周辺データである場合について説明する。
【０１０３】
図７に示すように、コントローラ１３は、通信部６が受信した周辺データを所定のデータとしてデータ記憶部１２Ｃに記憶する（ステップＳ４１）。
【０１０４】
ステップＳ４１で周辺データが記憶されると、コントローラ１３は、操作検出部４が所定の操作を検出したか否かを判定する（ステップＳ４２）。
【０１０５】
ステップＳ４２で、所定の操作が検出されると、コントローラ１３は、ステップＳ４１で記憶された周辺データが所定のパターンであるか、すなわち周辺に人が存在することを示すか否かを判定する（ステップＳ４３）。ステップＳ４２で所定の操作が検出されないと、ステップＳ４１に戻って、コントローラ１３は再び、通信部６が受信した周辺データをデータ記憶部１２Ｃに記憶する。
【０１０６】
ステップＳ４３で周辺に人が存在すると、通信部６に所定のアラート信号を送信させ、音出力部７に所定のアラート音を出力させる（ステップＳ４４）。
【０１０７】
また、ステップＳ４３で周辺に人が存在しないと、通信部６に所定のアラート信号を送信させる（ステップＳ４５）。
【０１０８】
以上、第４の実施形態によれば、コントローラ１３は、操作検出部４が操作を検出すると、スマートフォン１において取得される所定のデータに基づいて、第１の動作または第２の動作を行う。スマートフォン１において取得される所定のデータにより、該スマートフォン１のユーザの状況が推定され得る。例えば、ユーザが威嚇されたり、突き飛ばされたりした場合には、相手を刺激するのを回避するためにアラート音を出力させないことによって、ユーザがより危険な状況に陥るのを防ぐことができる。一方、ユーザが威嚇されたり、突き飛ばされたりしていない場合には、危害を加えるような相手がいるような状況ではない可能性があるため、周囲の第三者に助けを求めるためにアラート音を出力させることが有効である。このため、コントローラ１３は、ユーザの状況により音を出力させたり、させなかったりすることによって、ユーザの安全性に資することができる。
【０１０９】
＜第５の実施形態＞
一方、本実施形態では、第１の動作を開始させるための所定の操作と、第２の動作を開始させるための所定の操作とを区別する。これにより、ユーザは、自らの操作を使い分けることにより、第１の動作または第２の動作のうち、いずれの動作も所望に応じて即時開始させることができる。
【０１１０】
第５の実施形態に係る携帯電子機器２０としてのスマートフォン２０は、図８に示すように、第１の実施形態に係るスマートフォン１と同様に、ハウジング２と、タッチスクリーンディスプレイ３と、操作検出部４と、近接センサ５と、音出力部７と、マイク８と、カメラ９を備える。さらに、第５の実施形態に係るスマートフォン２０において、操作検出部４は、操作検出部４Ａ〜４Ｈに加えて、操作検出部４Ｉを備える。このように、本実施形態においては、スマートフォン２０は、操作検出部４を複数備える。
【０１１１】
操作検出部４Ｇおよび操作検出部４Ｉは、ユーザの片手のみにより同時に操作することができるように配置される。例えば、操作検出部４Ｇは、図８に示すように、ハウジング２の右側に配置され、操作検出部４Ｇは、ハウジング２の左側に配置される。また、操作検出部４Ｇは、ユーザによって押下されることによって操作検出部４Ｉに向かう方向に変位し、操作検出部４Ｉは操作検出部４Ｇに向かう方向に変位する。本例では、操作検出部４Ｇおよび操作検出部４Ｉが同時に操作されるように配置されるが、これに限られない。操作検出部４Ａ〜４Ｉの少なくとも２つが同時に操作されるように配置されればよい。
【０１１２】
コントローラ１３は、操作検出部４が検出する操作が第１の所定の操作と判定したら第１の動作を行い、操作検出部４が検出する操作が第２の所定の操作と判定したら第２の動作を行う。
【０１１３】
具体的には、コントローラ１３は、操作検出部４が検出する操作が第１の所定の操作と判定したら、通信部６に所定のアラート信号を送信させ、音出力部７に所定のアラート音を出力させる。また、コントローラ１３は、操作検出部４が検出する操作が第２の所定の操作と判定したら、通信部６に所定のアラート信号を送信させ、音出力部７に所定のアラート音を出力させない。第１の所定の操作は、例えば（２秒以上押した状態が維持されるような）長押しであり、第２の所定の操作は、（例えば押した状態の維持が２秒に満たない３回連続の操作のような）所定の回数の連続押しであるが、これに限られない。
【０１１４】
コントローラ１３は、第１の所定の操作および第２の所定の操作を、複数の操作検出部４Ａ〜４Ｉのうち少なくとも２つにおいて同時に検出される異なる態様の操作として判定してもよい。この場合、コントローラ１３は、例えば、操作検出部４Ｇおよび操作検出部４Ｉへの操作をそれぞれ検出する。そして、コントローラ１３は、操作検出部４Ｇおよび操作検出部４Ｉへの操作を同時に検出すると、第１の動作または第２の動作を行うように制御する。
【０１１５】
具体的には、コントローラ１３は、操作検出部４Ｇおよび操作検出部４Ｉへの操作が同時であり、該操作が第１の所定の操作であると判定すると、第１の動作を行うように制御する。また、コントローラ１３は、操作検出部４Ｇおよび操作検出部４Ｉへの操作が同時であり、該操作が第２の所定の操作であると判定すると、第２の動作を行うように制御する。
【０１１６】
また、コントローラ１３は、第２の動作において、第１の実施形態と同様に、予めの設定に基づいて、音出力部７が段階的に音量を上げたり、モスキート音を出力したりするよう制御してもよい。また、コントローラ１３は、予めの設定に基づいて、タッチスクリーンディスプレイ３に確認画面を表示させてもよい。この場合、コントローラ１３は、「音を出力する」の表示領域へのタッチを検出してからアラート音を出力するよう制御する。
【０１１７】
ここで、第５の実施形態に係るスマートフォン１の動作について、図９を参照して説明する。コントローラ１３は、スマートフォン１が起動されると動作を開始する。
【０１１８】
まず、コントローラ１３は、操作検出部４Ｇおよび操作検出部４Ｉが操作を検出したか否かを判定する（ステップＳ６１）。
【０１１９】
ステップＳ６１で操作が検出されると、コントローラ１３は、検出された操作が第１の操作であるか否かを判定する（ステップＳ６２）。
【０１２０】
ステップＳ６２で操作が第１の操作であると、コントローラ１３は、通信部６に所定のアラート信号を送信させ、音出力部７に所定のアラート音を出力させる（ステップＳ６３）。
【０１２１】
ステップＳ６２で操作が第１の操作でないと、コントローラ１３は、操作検出部４Ｇおよび操作検出部４Ｉへの操作が第２の操作であったか否かを判定する（ステップＳ６４）。
【０１２２】
ステップＳ６４で操作検出部４Ｇおよび操作検出部４Ｉへの操作が第２の操作であると、コントローラ１３は、通信部６に所定のアラート信号を送信させる（ステップＳ６５）。ステップＳ６４で操作が第２の操作であると、コントローラ１３は、ステップＳ６１に戻って、再び、操作検出部４Ｇおよび操作検出部４Ｉへの操作を検出したか否かを判定する。なお、ステップＳ６４で操作が第２の操作であった場合、コントローラ１３は、予め設定された設定に基づき、第１の実施形態のステップＳ４からＳ１２までの処理を行ってもよい。
【０１２３】
以上、第５の実施形態によれば、コントローラ１３は、複数の操作検出部４が検出する操作が第１の所定の操作と判定したら第１の動作を行い、操作検出部４が検出する操作が第２の所定の操作と判定したら第２の動作を行う。このため、ユーザが状況に応じて、自身の意図するように、コントローラ１３に音を出力させたり、させなかったりすることができる。したがって、例えば、スマートフォン１がアラート音を発することにより、ユーザに危害を及ぼそうとする相手を刺激するおそれがない場合、ユーザはスマートフォン１に対して第１の所定の操作を行って、周囲の人々に助けを求めることができる。一方、相手を刺激するおそれがある場合、ユーザはスマートフォン１に対して第２の所定の操作を行って、不利な状況に陥るのを回避することができる。すなわち、スマートフォン１は、状況に応じて適切に、ユーザの安全に資する動作を行うことができる。
【０１２４】
上述の実施形態は代表的な例として説明したが、本開示の趣旨及び範囲内で、多くの変更及び置換ができることは当業者に明らかである。従って、本開示は、上述の実施形態によって制限するものと解するべきではなく、特許請求の範囲から逸脱することなく、種々の変形や変更が可能である。例えば、実施形態に記載の複数の構成ブロックを１つに組合せたり、あるいは１つの構成ブロックを分割したりすることが可能である。
【符号の説明】
【０１２５】
１，２０    携帯電子機器（スマートフォン）
２          ハウジング
３          タッチスクリーンディスプレイ
３Ａ        ディスプレイ
３Ｂ        タッチスクリーン
３Ｂ１      接触センサ
４Ａ〜４Ｉ  操作検出部
４Ｈ１      ストラップ
５          近接センサ
６          通信部
７          音出力部
８          マイク
９          カメラ
１０        音出力スイッチ
１１        加速度センサ
１２        メモリ
１２Ａ      制御プログラム
１２Ｂ      警報アプリケーション
１２Ｃ      データ記憶部
１３        コントローラ
１４        動作スイッチ
【図１】
2018129681.tif 000003
【図２】
2018129681.tif 000004
【図３】
2018129681.tif 000005
【図４】
2018129681.tif 000006
【図５】
2018129681.tif 000007
【図６】
2018129681.tif 000008
【図７】
2018129681.tif 000009
【図８】
2018129681.tif 000010
【図９】
2018129681.tif 000011